(57)【要約】      （修正有）【課題】電子機器に容易に貼付可能で、操作性や電子機器の大きさ等の携帯性を損なわずに、電子機器の内部に水や塵の異物が侵入することを防止可能な異物侵入防止用粘着シートを提供する。【解決手段】異物が電子機器の内部に侵入する可能性のある開口や隙間である侵入部１０，１２，１４を覆い隠すことが可能な形状の粘着シート２０，２２，２４からなり、侵入部に被着可能で、また、形状の異なるシート２０，２２，２４が、一体に連結されている粘着シート２０，２２，２４。さらに、電子機器の辺縁部を一周して覆う周部を有すると共に、侵入部１０，１２，１４を覆い隠す被着部が、侵入部１０，１２，１４の近傍の周部から延設されている粘着シート２０，２２，２４。【選択図】図１
2017019925.tif 000002
【特許請求の範囲】
【請求項１】
電子機器の内部に水や塵の異物が侵入することを防止するための異物侵入防止用粘着シートにおいて、
異物が該電子機器の内部に侵入する可能性のある開口や隙間である侵入部を覆い隠すことが可能な形状の粘着シートからなり、
該粘着シートが、該侵入部に被着可能なことを特徴とする異物侵入防止用粘着シート。
【請求項２】
形状の異なる前記粘着シートが、一体に連結されていることを特徴とする請求項１記載の異物侵入防止用粘着シート。
【請求項３】
前記粘着シートが、前記電子機器の辺縁部を一周して覆う周部を有すると共に、前記侵入部を覆い隠す被着部が、該侵入部の近傍の該周部から延設されていることを特徴とする請求項１記載の異物侵入防止用粘着シート。
【請求項４】
前記粘着シートの表面を覆う第１の剥離シートと、
該粘着シートの裏面の粘着面を覆う第２の剥離シートとを備え、
該第１の剥離シートの該粘着シート側の裏面が、該粘着シートを着脱自在に接着可能で、且つ前記電子機器に着脱自在に接着可能な接着力を有し、
該第１の剥離シートの該粘着シートを覆わない裏面部分を該電子機器に接着することで該粘着シートの位置合わせが可能なことを特徴とする請求項１〜請求項３のいずれかに記載の異物侵入防止用粘着シート。
【請求項５】
前記第２の剥離シートが、白又は他の色彩を有し、
前記第１の剥離シート及び前記粘着シートの上から、該第２の剥離シートの形状が目視可能で、
該第２の剥離シートに、前記電子機器との位置合わせを行うための位置合わせ用形状を設けたことを特徴とする請求項４記載の異物侵入防止用粘着シート。
【請求項６】
前記粘着シートが、柔軟性又は伸縮性を有することを特徴とする請求項１〜請求項５のいずれかに記載の異物侵入防止用粘着シート。
【請求項７】
前記粘着シートが、防水性、撥水性又は防塵性を有することを特徴とする請求項１〜請求項６のいずれかに記載の異物侵入防止用粘着シート。
【請求項８】
前記粘着シートが、前記電子機器から着脱可能であることを特徴とする請求項１〜請求項７のいずれかに記載の異物侵入防止用粘着シート。
【請求項９】
前記粘着シートが、透明又は半透明であることを特徴とする請求項１〜請求項８のいずれかに記載の異物侵入防止用粘着シート。
【請求項１０】
前記粘着シートが、色彩又は及び図柄であることを特徴とする請求項１〜請求項９のいずれかに記載の異物侵入防止用粘着シート。
【発明の詳細な説明】
【技術分野】
【０００１】
本発明は、電子機器の内部に水や塵の異物が侵入することを防止するための異物侵入防止用粘着シートに関する。
【背景技術】
【０００２】
従来より、携帯電話やスマートホン等の携帯型の電子情報端末である携帯端末を、事後的に防水するための方法が、提案されている。例えば、特許文献１の電子機器用の防水ケースは、解放状態においては電子機器が着脱自在に構成され、水密状態においては電子機器を所定位置に水密に収容するケース体と、ケース体の一部に設けられ、タッチパネル式モニタに対向し、剛性のある透明平面状部材からなる透明部と、を備え、水密状態においては、タッチパネル式モニタと透明部とが密着するように構成されているものである。
【０００３】
また、特許文献２の携帯機器等の密閉型防水カバーは、弾性体の膜からなる袋状のカバーが、開口部から巻き上げられ小さく畳んだ状態となるもので、対象機器の端部に押し当てて、ほぐして伸ばしながら装着することができ、かつ開口部を粘着テープや脱着式の口金等別部品により封止できるものである。
【先行技術文献】
【特許文献】
【０００４】
【特許文献１】特開２０１２−１５９５３８号公報
【特許文献２】実用新案登録第３０６６７８６号公報
【発明の概要】
【発明が解決しようとする課題】
【０００５】
しかしながら、従来の防水ケースや防水カバーでは、携帯端末（電子機器）全体を収納するため、小型の携帯端末の大きさが大きくなって携帯性が損ねられたり、操作性が悪くなるといった課題がある。
【０００６】
本発明は、このような事情に鑑みてなされたもので、電子機器に容易に貼付可能で、操作性や電子機器の大きさ等の携帯性を損なわずに、電子機器の内部に水や塵の異物が侵入することを防止可能な異物侵入防止用粘着シートを提供することにある。
【課題を解決するための手段】
【０００７】
請求項１記載の異物侵入防止用粘着シートは、異物が電子機器の内部に侵入する可能性のある開口や隙間である侵入部を覆い隠すことが可能な形状の粘着シートからなり、粘着シートが、侵入部に被着可能なことを特徴とする。
【０００８】
請求項２記載の異物侵入防止用粘着シートは、形状の異なる粘着シートが、一体に連結されていることを特徴とする。
【０００９】
請求項３記載の異物侵入防止用粘着シートは、粘着シートが、電子機器の辺縁部を一周して覆う周部を有すると共に、侵入部を覆い隠す被着部が、侵入部の近傍の周部から延設されていることを特徴とする。
【００１０】
請求項４記載の異物侵入防止用粘着シートは、粘着シートの表面を覆う第１の剥離シートと、粘着シートの裏面の粘着面を覆う第２の剥離シートとを備え、第１の剥離シートの粘着シート側の裏面が、粘着シートを着脱自在に接着可能で、且つ電子機器に着脱自在に接着可能な接着力を有し、第１の剥離シートの粘着シートを覆わない裏面部分を電子機器に接着することで粘着シートの位置合わせが可能なことを特徴とする。
【００１１】
請求項５記載の異物侵入防止用粘着シートは、第２の剥離シートが、白又は他の色彩を有し、第１の剥離シート及び粘着シートの上から、第２の剥離シートの形状が目視可能で、第２の剥離シートに、電子機器との位置合わせを行うための位置合わせ用形状を設けたことを特徴とする。
【００１２】
請求項６記載の異物侵入防止用粘着シートは、粘着シートが、柔軟性又は伸縮性を有することを特徴とする。
【００１３】
請求項７記載の異物侵入防止用粘着シートは、粘着シートが、防水性、撥水性又は防塵性を有することを特徴とする。
【００１４】
請求項８記載の異物侵入防止用粘着シートは、粘着シートが、電子機器から着脱可能であることを特徴とする。
【００１５】
請求項９記載の異物侵入防止用粘着シートは、粘着シートが、透明又は半透明であることを特徴とする。
【００１６】
請求項１０記載の異物侵入防止用粘着シートは、粘着シートが、色彩又は及び図柄であることを特徴とする。
【発明の効果】
【００１７】
本願発明によれば、異物が電子機器の内部に侵入する可能性のある開口や隙間である侵入部を覆い隠すことが可能な形状の粘着シートからなり、粘着シートが、侵入部に被着可能なことから、容易に貼付可能で、操作性や電子機器の大きさ等の携帯性を損なわずに、電子機器の内部に水や塵の異物が侵入することを防止可能である。
【図面の簡単な説明】
【００１８】
【図１】本発明に係る異物侵入防止用粘着シートの第１の実施例の一例を示す説明図である。
【図２】本発明に係る異物侵入防止用粘着シートの第２の実施例の一例を示す説明図である。
【図３】同第２の実施例に係る異物侵入防止用粘着シートの使用方法を示す説明図である。
【図４】本発明に係る異物侵入防止用粘着シートの第３の実施例の一例を示す説明図である。
【図５】同第３の実施例に係る異物侵入防止用粘着シートの構成を示す説明図である。
【図６】同第３の実施例に係る異物侵入防止用粘着シートの使用方法を示す説明図である。
【図７】同第３の実施例に係る異物侵入防止用粘着シートの使用方法の一例を示す説明図である。
【図８】同第３の実施例に係る異物侵入防止用粘着シートの使用方法の他の例を示す説明図である。
【発明を実施するための形態】
【００１９】
本願発明は、電子機器の内部に水や塵等の異物が侵入することを防止するための異物侵入防止用粘着シートに関する。ここで、電子機器とは、特に限定するものではないが、水や塵等の異物が侵入しやすい環境で使用される電子機器である。例えば、身につけて持ち歩くことができる電子機器であるウェアラブル端末、すなわち、具体的には、携帯電話、ＰＤＡ、スマートホン、電子書籍端末、音楽プレーヤ等が、より適している。以下の実施例でも、電子機器としてスマートホンの例で説明する。
【実施例１】
【００２０】
図１は、本発明に係る異物侵入防止用粘着シートの第１の実施例の一例を示す説明図である。図１に示す異物侵入防止用粘着シートである粘着シート２０，２２，２４は、異物が電子機器１の内部に侵入する可能性のある開口や隙間である侵入部を覆い隠すことが可能な形状で、侵入部に被着可能である。具体的には、粘着シート２０，２２，２４は、電子機器１の操作スイッチ部１０，１２や孔部１４の侵入部から電子機器１の内部への水や塵等の異物の侵入を防ぐためのものである。侵入部は、例えば、充電用のコネクタのための孔や、マイクやイヤホン（スピーカ）のためのジャック孔や、マイクやレシーバそのものの孔等の水や塵等が電子機器の内部に侵入しそうな部分を総称している。また、電子機器１の筐体１８の隙間も、水や塵等が電子機器の内部に侵入しそうな部分であり、侵入部に該当する。
【００２１】
粘着シート２０，２２，２４は、それぞれ、操作スイッチ部１０，１２や孔部１４を覆い隠す形状の粘着シートで、図１に示すように、操作スイッチ部１０，１２や孔部１４を覆い隠すように接着して用いる。粘着シート２０，２２，２４は、柔軟性又は伸縮性を有し、粘着シート２０，２２を貼った上からでも、操作スイッチ部１０，１２の操作が可能な材質が好ましい。また、粘着シート２０，２２，２４は、防水性、撥水性又は防塵性を有するものが好ましく、例えばメッシュ状のものでもよい。粘着シート２０，２２，２４は、操作スイッチ部１０，１２の操作中も剥がれない粘着性を有するが、繰り返し着脱ができる繰り返し使用が可能な粘着性を有することが好ましい。粘着シート２０，２２，２４の素材には、樹脂やゴムやシリコン等を用いることが可能で、例えば、シート状の塩ビフィルムで、裏面にアクリル系粘着剤が塗布されたものである。
【００２２】
また、粘着シート２０，２２，２４を、透明や半透明な素材を用いることで、それ自体を目立たなくさせることができる。逆に、色彩や図柄を有する粘着シート２０，２２，２４を用いることで、電子機器１の装飾が可能になる。
【００２３】
このような、粘着シート２０，２２，２４によれば、操作スイッチ部１０，１２又は孔部１４を覆い隠す形状で、操作スイッチ部１０，１２又は孔部１４に、操作スイッチ部１０，１２又は孔部１４等の侵入部を覆い被すように貼付可能なことから、容易に貼付可能で、操作性や電子機器の大きさ等の携帯性を損なわずに、電子機器の内部に水や塵の異物が侵入することを防止可能である。
【実施例２】
【００２４】
上記の実施例１の粘着シート２０，２２，２４の例では、操作スイッチ部１０，１２や孔部１４のみを覆い被す形状であるが、貼付する位置合わせを考慮したのが、本実施例２である。図２は、本発明に係る異物侵入防止用粘着シートの第２の実施例の一例を示す説明図である。図３は、同第２の実施例に係る異物侵入防止用粘着シートの使用方法を示す説明図である。
【００２５】
図２及び図３に示す粘着シート３０は、材質や基本的な効果においては、上述の粘着シート２０，２２，２４と同様であるが、電子機器１の筐体１８の隙間を一周して覆う周部３２を有し、操作スイッチ部１０等を覆い隠す被着部３４，３６が、操作スイッチ部１０等の近傍の周部３２から延設されている。すなわち、粘着シート３０は、形状の異なる粘着シートが、一体に連結されている形態でもある。
【００２６】
このように、電子機器１の筐体１８の隙間を一周して覆う周部３２を有することで、筐体１８の隙間等の隙間の侵入部からの水や塵の侵入を防止することが可能になると共に、筐体１８に沿って貼付すればよく、貼付する位置の位置合わせが容易になる。また、周部３２を、電子機器１の画面用透明カバー１６の辺部を一周して覆うようにして水や塵の侵入を防止するようにしてもよい。周部３２が電子機器１の一面の角部周辺を一周して覆うような形態であれば、電子機器１の機種毎に粘着シート３０を形作ることで、機種毎にどこに貼付すれば良いかが明確になる。特に、操作スイッチ部１０，１２や孔部１４によっては、機器本体に予め防水構造が採用されており、あえて粘着シート３０で覆う必要のない部分もあり、機種毎に用意された粘着シート３０を用いることで、防水性の確実性を確保することが容易となる。
【実施例３】
【００２７】
上記の実施例２で、電子機器１の筐体１８の隙間を一周して覆う周部３２を有し、操作スイッチ部１０等を覆い隠す被着部３４，３６が、操作スイッチ部１０等の近傍の周部３２から延設され、すなわち、粘着シート３０は、形状の異なる粘着シートが、一体に連結されている形態について説明しているが、本実施例３では、実施例２の形態を踏襲しつつ、より位置合わせが容易で、また、貼付しやすい異物侵入防止用粘着シート４０について説明する。
【００２８】
図４は、本発明に係る異物侵入防止用粘着シートの第３の実施例の一例を示す説明図である。図５は、同第３の実施例に係る異物侵入防止用粘着シートの構成を示す説明図である。図６は、同第３の実施例に係る異物侵入防止用粘着シートの使用方法を示す説明図である。図７は、同第３の実施例に係る異物侵入防止用粘着シートの使用方法の一例を示す説明図である。図８は、同第３の実施例に係る異物侵入防止用粘着シートの使用方法の他の例を示す説明図である。尚、図４〜図８で、網掛部分は、後述するように、粘着シート５０や各部位置合わせ部６０そのものや、剥離紙４４が透けて見ていることを示している。
【００２９】
まず、電子機器２に貼付して用いられる前の異物侵入防止用粘着シート４０は、図５に示すように、第１の剥離シートであるカバーシート４２と、粘着シート５０と、第２の剥離シートである剥離紙４４と、剥離シート４６とを貼り合わせて構成されている。尚、粘着シート５０や粘着シート５０と同様な機能を有する各部位置合わせ部６０は、材質や基本的な効果においては、上述の粘着シート２０，２２，２４，３０と同様である。
【００３０】
より具体的には、粘着シート５０の表面を覆う第１の剥離シートであるカバーシート４２と、粘着シート５０の裏面の粘着面を覆う第２の剥離シートである剥離紙４４と、剥離紙４４の紙面を覆う剥離シート４６とを備えている。カバーシート４２は透明な樹脂系のシート材で、カバーシート４２の粘着シート５０側の裏面が、粘着シート５０を着脱自在に接着可能である。また、カバーシート４２の裏面は、電子機器２に着脱自在に接着可能な接着力を有している。
【００３１】
また、異物侵入防止用粘着シート４０は、剥離紙４４が、白又は他の色彩を有し、カバーシート４２及び粘着シート５０及び各部位置合わせ部６０の上から、剥離紙４４の形状が目視可能で、剥離紙に、電子機器２との位置合わせを行うための後述する位置合わせ用形状が設けられている構成である。
【００３２】
以下、異物侵入防止用粘着シート４０のより具体的な構成や使用方法を説明する。まず、最下層の剥離シート４６は、カバーシート４２の裏面の接着面を保護するシートであり、図４の例とは異なり、カバーシート４２の全面が粘着シート５０や各部位置合わせ部６０で覆われていて、カバーシート４２の裏面が直接露出していない場合には、剥離シート４６は不要であってもよい。すなわち、図４に示すように、カバーシート４２の裏面に、粘着シート５０や各部位置合わせ部６０が、離れ小島のように設けられている場合には、剥離シート４６があった方が好ましい状態になる。
【００３３】
ここで、図４に示す異物侵入防止用粘着シート４０では、カバーシート４２の裏面に、粘着シート５０や各部位置合わせ部６０が、離れ小島のように設けられており、粘着シート５０や各部位置合わせ部６０の部分の剥離紙４４が、カバーシート４２の上から透けて見えている。尚、粘着シート５０や各部位置合わせ部６０が、半透明や白や模様を有している場合には、粘着シート５０や各部位置合わせ部６０がカバーシート４２の上から透けて見えることになる。
【００３４】
粘着シート５０は、電子機器２の筐体８０を一周して覆う周部５２を有し、操作スイッチ部８２やカード挿入部８４等を覆い隠す被着部５６，５８，５４が、操作スイッチ部８２等の近傍の周部５２から延設されている。すなわち、粘着シート５０は、形状の異なる粘着シートが、一体に連結されている形態でもある。
【００３５】
また、各部位置合わせ部６０は、粘着シート５０の内側に縦長の離れ小島のように設けられ、上下に尖った位置合わせ角６０ａ，６０ｂを持っている。また、各部位置合わせ部６０は、予め各種形状の切れ目が設けられ、各部が、正方形の正方形部６２、小型の長方形の小長方形部６４、電子機器２の筐体８０の正面上部を覆うことが可能な形状の筐体上部用部６６、電子機器２の筐体８０の正面下部を覆うことが可能な形状の筐体下部用部６８、大型の長方形の大長方形部７０等となっている。
【００３６】
次に、異物侵入防止用粘着シート４０の使用方法を説明する。まず、異物侵入防止用粘着シート４０から、剥離シート４６がある場合には剥離シート４６を剥がす。そして、粘着シート５０や各部位置合わせ部６０が離れ小島になってカバーシート４２の裏面に露出した部分がない場合には、粘着シート５０や各部位置合わせ部６０を残して、不要な部分を剥がしてカバーシート４２の裏面に露出した部分を作るようにする。
【００３７】
その上で、異物侵入防止用粘着シート４０を、図６に示すように、電子機器２の表面にあてがうようにする。このとき、カバーシート４２の粘着シート５０や各部位置合わせ部６０を覆わない裏面部分を電子機器２に接着することで粘着シート５０や各部位置合わせ部６０の位置合わせが可能である。尚、異物侵入防止用粘着シート４０は、剥離紙４４が、白又は他の色彩を有し、カバーシート４２及び各部位置合わせ部６０の上から、剥離紙４４の形状が目視可能で、剥離紙４４（各部位置合わせ部６０）に、電子機器２との位置合わせを行うための位置合わせ用形状である位置合わせ角６０ａ，６０ｂが設けられている。
【００３８】
この位置合わせ角６０ａを電子機器２のカメラ部８８の円の中心に合わせ、位置合わせ角６０ｂを操作スイッチ部８６の円の中心に合わせるように、異物侵入防止用粘着シート４０を、電子機器２の表面にあてがうようにすることで、容易に位置合わせが可能になる。尚、位置合わせに失敗した場合でも、異物侵入防止用粘着シート４０を電子機器２から剥がして、再び位置合わせを行えばよい。位置合わせした後に、粘着シート５０の部分の剥離紙４４を剥がして、粘着シート５０を電子機器２に貼り合わせていく。そして、各部位置合わせ部６０ごと、カバーシート４２を剥がせば、電子機器２に粘着シート５０が貼られることになる。
【００３９】
尚、図に示す各部位置合わせ部６０の位置合わせ用形状である位置合わせ角６０ａ，６０ｂの形状は、あくまでも一例であり、電子機器２の形状に合わせて、適宜形状を定めるようにすればよい。また、剥離紙４４が十分に着色されていなくとも、各部位置合わせ部６０の方が着色されていたりすれば剥離紙４４若しくは各部位置合わせ部６０の形状が、カバーシート４２側から目視可能で、位置合わせが可能となる。
【００４０】
図７及び図８に示す例は、各部位置合わせ部６０にある正方形部６２、小長方形部６４、筐体上部用部６６、筐体下部用部６８、大長方形部７０を、粘着シートとして電子機器２に貼付した例である。図７の例では、小長方形部６４をカメラ部８８やレシーバー孔９０に貼付し、正方形部６２を操作スイッチ部８６に貼付しており、図８の例では、筐体上部用部６６、筐体下部用部６８を、それぞれ、電子機器２の筐体８０の表面上部及び表面下部に貼付している。このように、電子機器２の使用者のニーズにあわせて任意に異物侵入防止用粘着シート４０を、電子機器２に適用させるようにしてもよい。
【産業上の利用可能性】
【００４１】
以上のように、本発明によれば、電子機器に容易に貼付可能で、操作性や電子機器の大きさ等の携帯性を損なわずに、電子機器の内部に水や塵の異物が侵入することを防止可能な異物侵入防止用粘着シートを提供することができる。
【符号の説明】
【００４２】
１・・・・・電子機器
２・・・・・電子機器
１０・・・・操作スイッチ部
１２・・・・操作スイッチ部
１４・・・・孔部
１６・・・・画面用透明カバー
１８・・・・筐体
２０・・・・粘着シート
２２・・・・粘着シート
２４・・・・粘着シート
３０・・・・粘着シート
３２・・・・周部
３４・・・・被着部
３６・・・・被着部
４０・・・・異物侵入防止用粘着シート
４２・・・・カバーシート
４４・・・・剥離紙
４６・・・・剥離シート
５０・・・・粘着シート
５２・・・・周部
５４・・・・被着部
５６・・・・被着部
５８・・・・被着部
６０・・・・各部位置合わせ部
６０ａ・・・位置合わせ角
６０ｂ・・・位置合わせ角
６２・・・・正方形部
６４・・・・小長方形部
６６・・・・筐体上部用部
６８・・・・筐体下部用部
７０・・・・大長方形部
８０・・・・筐体
８２・・・・操作スイッチ部
８４・・・・カード挿入部
８６・・・・操作スイッチ部
８８・・・・カメラ部
９０・・・・レシーバー孔
【図１】
2017019925.tif 000003
【図２】
2017019925.tif 000004
【図３】
2017019925.tif 000005
【図４】
2017019925.tif 000006
【図５】
2017019925.tif 000007
【図６】
2017019925.tif 000008
【図７】
2017019925.tif 000009
【図８】
2017019925.tif 000010